(57)【要約】      （修正有）【課題】重い物品を収納した場合にも形くずれがなく、持ち運び中の損傷を防ぎ、外部への水漏れがない、包装用不織布バッグを開発する。【解決手段】包装用不織布バッグの素材は外層がプラスチック繊維からなる不織布シート、内層がプラスチックフィルムを重ね合わせ、または積層した複合シート４からなり、底部の折り込みによって形成した底面構造によって、底面が常に平面状に保持されるため、物品も安定した状態に保持され、重い物品の持ち運び中にバッグの形くずれが起きない特徴を有する。【選択図】図３
0003142245.tif 000002
【実用新案登録請求の範囲】
【請求項１】
包装用不織布バッグ(1) は、外層がプラスチック繊維からなる不織布シート(2) と、内層がプラスチックフィルム(3) との２層を、重ね合わせた複合シート(4)からなり、表裏両面の複合シート(5) 、(6) の底辺の間には折り込まれた底面(7) 、(7′) が形成され、表裏両面の複合シートの上部にはそれぞれ、その周辺がフリルとなっている不織布シート/または複合シート(8) 、(9) が延長して設けられ、
表面複合シート(5) 及び折り込まれて接触している底面(7) の左右両側の隅の部分には、裏側に折り込まれている底面(7) を含めた４層を重ね合せて斜めにヒートシールした斜線(10)、(11) が形成され、同様に裏面(6) にも表面と対称にヒートシールした斜線(10 ′) 、 (11′) が形成され、
バッグ(1) の表裏両面の複合シート上部の表裏には、それぞれ上端と平行な２本の超音波シール線(12)、(13)、(12 ′) 、(13 ′) が形成され、２本のシール線の間の左右両端には表裏４層のシートを貫通した開口部(14)、(15)が設けられ、その左右の開口部からそれぞれ紐(16)、(17)をその表面複合シート(5)の超音波シール線(12)、(13)の間の複合シートの内部を通し、更にその紐を裏面複合シートの超音波シール線(12 ′) 、(13 ′) の間の複合シートの内部を通して引き出し、左右両端からそれぞれ２本づつの紐の端(16)、(16′) 、(17)、 (17′) が引き出された形状とし、
バッグの内部に物品を収納すると、表裏両面の底辺の間に折り込まれていた底面(7) 、(7′) の中央部分が膨らんで略矩形の底面が形成されると共に、その左右の部分が内側へ折り込まれて、それぞれ表裏両面下部のヒートシールした斜線(10)、(10′）及び (11) 、 (11′) の裏に重なって、裏打ちされた６層の側面となる立体構造が形成されることによって、物品を常に安定した状態に保持することが可能となり、バッグ(1)の左右に引き出された２本づつの紐の端(16)、(16 ′) 、(17)、(17 ′) をそれぞれ外側へ引くと、袋の上端が巾着状に絞られて、バッグ上部にフリル状の襟が形成され、物品に水分が含まれていても外部に漏れない構造を有する、包装用不織布バッグ。
【請求項２】
包装用不織布バッグ(1) は、外層がプラスチック繊維からなる不織布シート(2) と、内層がプラスチックフィルム(3) との２層を、重ね合わせた複合シート(4)からなり、表裏両面の複合シート(5) 、(6) の底辺の間には折り込まれた底面(7) 、(7′) が形成され、表裏両面の複合シートの上部にはそれぞれ、その周辺がフリルとなっている不織布シート/または複合シート(8) 、(9) が延長して設けられ、更に不織布シート(8) 、(9) の内側にそれぞれカラー(18)、(19)、(18 ′) 、(19 ′)が取り付けられ、
表面複合シート(5) 及び折り込まれて接触している底面(7) の左右両側の隅の部分には、裏側に折り込まれている底面(7) を含めた４層を重ね合せて斜めにヒートシールした斜線(10)、(11) が形成され、同様に裏面(6) にも表面と対称にヒートシールした斜線(10 ′) 、 (11′) が形成され、
バッグ(1) の表裏両面の複合シート上部の表裏には、それぞれ上端と平行な２本の超音波シール線(12)、(13)、(12 ′) 、(13 ′) が形成され、２本のシール線の間の左右両端には表裏４層のシートを貫通した開口部(14)、(15)が設けられ、その左右の開口部からそれぞれ紐(16)、(17)をその表面複合シート(5)の超音波シール線(12)、(13)の間の複合シートの内部を通し、更にその紐を裏面複合シートの超音波シール線(12 ′) 、(13 ′) の間の複合シートの内部を通して引き出し、左右両端からそれぞれ２本づつの紐の端(16)、(16′) 、(17)、 (17′) が引き出された形状とし、
バッグの内部に物品を収納すると、表裏両面の底辺の間に折り込まれていた底面(7) 、(7′) の中央部分が膨らんで略矩形の底面が形成されると共に、その左右の部分が内側へ折り込まれて、それぞれ表裏両面下部のヒートシールした斜線(10)、(10′）及び (11) 、 (11′) の裏に重なって、裏打ちされた６層の側面となる立体構造が形成されることによって、物品を常に安定した状態に保持することが可能となり、バッグ(1)の左右に引き出された２本づつの紐の端(16)、(16 ′) 、(17)、(17 ′) をそれぞれ外側へ引くと、袋の上端が巾着状に絞られて、バッグ上部にフリル状の襟が形成され、物品に水分が含まれていても外部に漏れない構造を有する、包装用不織布バッグ。
【請求項３】
表裏両面の上部に設けられた、２本の超音波シール線(12)、(13)、(12 ′) 、(13 ′) の間以外の部分では、外層のプラスチック繊維からなる不織布シート(2)と、内層のプラスチックフィルム(3) との２層のシートが接着された複合シートである、請求項１または２記載の包装用不織布バッグ。
【請求項４】
包装用不織布バッグ(1) の表裏両面の複合シート上部に形成された、上端と平行な２本の超音波シール線(12)、(13)、(12 ′) 、(13 ′) の間、片面の中央１ケ所に開口部（21)を設け、その開口部より紐(22)を挿入して表裏両面の超音波シール線(12)、(13)、(12 ′) 、(13 ′) の間の、複合シートの内部を一巡させて開口部（21)に戻り、紐(22)の両端が外部に露出された形状とし、その両端を絞って結ぶことより、袋の上端が巾着状に狭められ状態に保持される、請求項１〜３のいずれかに記載の包装用不織布バッグ。
【請求項５】
包装用不織布バッグ(1) のフリル(8) 、(9) がなく、カラー(18)、(19)が設けられている、請求項１〜４のいずれかに記載の包装用不織布バッグ。
【請求項６】
包装用不織布バッグ(1) の複合シートの外層がプラスチックフィルムからなり、内層がプラスチック繊維の不織布シートからなる、請求項１〜５のいずれかに記載の包装用不織布バッグ。
【請求項７】
包装用不織布バッグ(1) が植木鉢の包装用に使用される、請求項１〜６のいずれかに記載の包装用不織布バッグ。
【請求項８】
包装用不織布バッグ(1) のフリル(8) 、(9) の素材、組成、風合、色彩、形状等の少なくとも一つが、包装用バッグ(1) の外層と異なる、請求項１〜７のいずれかに記載の包装用不織布バッグ。
【考案の詳細な説明】
【技術分野】
【０００１】
本考案は種々の物品の包装・持ち運び用等に使用される、不織布を含む複数層のシートを重ね合わせ/ または積層した、複合シートのバッグに関するものである。
【背景技術】
【０００２】
一般的な包装用のプラスチックバッグは従来から数多く知られている。しかし、殆どは表裏２枚のプラスチックフィルムまたはシートからなる矩形の極簡単な構造のバッグである。或いは紙と重ね合わせた複合シートの買い物袋等であり、これらの袋に物品を収納してそのまま持ち運ぶために使用されている。このようなバッグは少し重い物品を収納すると変形や形くずれし易く、また持ち運び中に物品がバッグの内部で移動して安定性も悪い。例えば、植木鉢を収納するとバッグの中で移動したり傾いたりして安定性が悪く、花を損傷したり、水がバッグの外へ漏れ出すこが多い等多くの問題点がある。
【０００３】
また、プラスチック繊維からなる不織布シートも通気性や質感、風合、印刷上がりの見栄え等の点で優れているため、包装用のバッグとしてかなり使用されるようになっている。しかし不織布シートは水漏れを起こし易く、また不織布のみでは形くずれが起こり易い欠点がある。しかし、風合、印刷上がりの見栄え等の点では他の包装資材にはない顕著な特徴を有する点で注目される。
【特許文献１】実願２００８─７９９
【考案の開示】
【考案が解決しようとする課題】
【０００４】
これらの問題点を解決するため、外層のプラスチック繊維からなる不織布シートを、内層のプラスチックフィルムに重ね合わせ、或いは接着して積層した複合シートを使用して含水物を収納した時或いは、持ち運び時にも外部への水漏れを防止するのみならず、更に重量物を収納した場合にもバッグが変形や形くずれを起こさない構造について検討した。
【０００５】
本考案のプラスチック繊維からなる不織布シートに使用されるプラスチック素材の成分は特に限定しない。ポリエチレン、ポリプロピレン等種々のプラスチックが使用可能である。また、種々の組成を有する薄い不織布層とのヒートシール法について検討した。その結果、内層がポリエチレン、外層がポリプロピレンの芯鞘繊維からなる不織布シートを使用すれば、ヒートシール法によって表面が乱れず平滑な融着が可能であるため好ましいことも見出した。更に、これらの成分の組み合わで内層及び外層が種々の比率を有する芯鞘繊維不織布についても検討したが、何れも本考案の包装用バッグに使用可能であることが分った。
【０００６】
更にこのような複数種類の不織布シートの積層工程を含む製袋方法についても検討した。その結果、バッグの原料として内層がポリエチレン、外層がポリプロピレンの芯鞘繊維からなる不織布シートを使用し、多数層の不織布は超音波シール法によって融着し、薄い２層の不織布層は主としてヒートシール法で融着する方法を併用した。更に、本考案特有の表面及び裏面の底辺両側隅と、その裏側へ折り込まれた底面を合わせた４層のシートの融着には、特に強度を持たせるため広幅のヒートシール法を採用した。重い物品を収納した場合でも形くずれしない底面の構造を形成させるためである。
【０００７】
包装用バッグに重い物品を収納した場合でも、バッグが変形や形くずれを起こさない構造について検討した。その結果、表裏両面の底辺の間に連結された底面(7) 、(7′)を、底面の中央線(20)で折り返して、バッグの側面から見た断面がＷ字状に表裏両面の間に折り込まれた構造を有するバッグを考案した。このバッグの表面複合シート(5)及び折り込まれて接触している底面(7) の左右両側の隅の部分には、折り込まれているそれぞれ４層づつのシートを重ね合せて斜めにヒートシールをした広幅の斜線(10)、(11) が形成され、同様に裏面(6) にも表面と対称にヒートシールした広幅の斜線(10 ′) 、(11 ′) が形成されている。更に表裏両面の複合シート(5)、(6) の底辺の間には中央線(20)で折り返した底面(7) 、(7′) が折り込まれた構造となっている。
【０００８】
これによって、物品をバッグの内部に収納した時、表裏両面の底辺の間に折り込まれていた底面(7) 、(20)、(7′) の部分が膨らんで略矩形の底面が形成される。これと共にその底面の左右の部分が袋の内部に折り込まれて、それぞれ表裏両面下部のシール線(10)、(10′）及び (11) 、 (11′) を含む面の裏に重なり、裏打ちされた形状の側面となって、略矩形の底面と共に物品を収納する立体構造が形成される。このように複数層で構成された立体構造によって、内部に重い物品を収納した場合でも、バッグの変形や形くずれが起こらないことを見出した。
【０００９】
更に、本体と厚さや不織布の構造、風合、色彩等が異なる不織布シートも併せて使用することによって、重い物品例えば、植木鉢を持ち運ぶ場合でも形くずれせずに運べる他、花や茎を傷つけない等、鑑賞その他より広範囲な目的にも適用できる包装用の不織布・プラスチックフィルムの複合バッグも本考案に含まれている。特に不織布は風合いがよく優美な高級品の外観を与えるため、高級な物品の包装に好適である。これらの結果に基づいて本考案に到達した。
【課題を解決するための手段】
【００１０】
すなわち、包装用不織布バッグ(1) は、外層がプラスチック繊維からなる不織布シート(2) と、内層がプラスチックフィルム(3) の２層を、重ね合わせ/ または積層した複合シート(4)からなっている。表裏両面の複合シート(5) 、(6) の底辺の間にはそこに折り込まれた底面(7) 、(7′) が形成され、表裏両面の複合シートの上部にはそれぞれ、その周辺がフリルとなっている不織布シート/または複合シート(8) 、(9) が延長して設けられている。
【００１１】
表面複合シート(5) 及び折り込まれて接触している底面(7) の左右両側の隅の部分では、裏側に折り込まれている底面(7) を含めた４層を重ね合せて斜めにヒートシールした広幅の斜線(10)、(11) が形成され、同様に裏面(6) にも表面と対称にヒートシールした広幅の斜線(10 ′) 、 (11′) が形成されている。更に、バッグ(1) の表裏両面の複合シートの上部には、それぞれ上端と平行な２本の超音波シール線(12)、(13)、(12′) 、(13 ′) が形成され、２本のシール線の間の左右両端には表裏４層のシートを貫通した開口部(14)、(15)が設けられている。
【００１２】
その左右の開口部からそれぞれ紐(16)、(17)をその表面複合シート(5) の超音波シール線(12)、(13)の間の複合シートの内部を通し、更にその紐を裏面複合シート(6)の超音波シール線(12 ′) 、(13 ′) の間の複合シートの内部を通して一巡させ、左右両端からそれぞれ２本づつの紐の端(16)、(16 ′) 、(17)、(17′) が引き出された形状となる。ここで、表裏両面の複合シートとして、内層及び外層のシートが接着された複合シートが使用される場合には、複合シートの内部に紐を通すため、超音波シール線(12)及び(13)、(12′) 及び(13 ′) の間のみは接着されていない複合シートを使用する必要がある。
【００１３】
バッグの内部に物品を収納すると、表裏両面の底辺の間に折り込まれていた底面(7) 、(7′) の中央部分が膨らんで略矩形の底面が形成されると共に、その左右の部分が内側へ折り込まれて、それぞれ表裏両面下部のヒートシール線(10)、(10′）及び (11) 、 (11′) の裏に重なって、裏打ちされた６層の側面となる立体構造が形成される。この底部の構造によって重い物品を収納した場合にも、バッグの形くずれがせず常に安定した状態に保持することが可能となる。これは本考案の最も重要な要部である。
【００１４】
バッグ(1) の左右に引き出された２本づつの紐の端(16)、(16 ′) 、(17)、(17 ′) をそれぞれ外側へ引くと、袋の上端が巾着状に絞られて、バッグ上部にフリル状の襟が形成される。バッグの内部に収納された物品に水分が含まれていても、バッグの内層にはプラスチックフィルム層が含まれているため、包装用不織布バッグの外部へは水が漏れない構造となっている。
【００１５】
または、前記の態様の包装用不織布バッグにおいて、周辺がフリルとなっている不織布シート/ または複合シート(8) 、(9) が延長して設けられている態様、或いは更に不織布シート(8)、(9) の内側にそれぞれカラー(18)、(19)、(18 ′) 、(19 ′) が取り付けられ態様も本発明に含まれている。これは頸部を有する形状の物品、例えば植木鉢を収納した時上部の花の部分がフリルの上に出るため、運搬中の花及び頸部の損傷を防止するためである。或いはバッグに収納した状態でも花がフリルの上に露出しているため、このまま鑑賞することもできる。また、運搬中に植木鉢から水が漏れても、複合シートにはプラスチックフィルム層が含まれているため、包装用バッグの外部へ漏れるおそれがない。尚、本態様のバッグは植木鉢の他、頸部を有する形状の物品の収納・持ち運びのために広く用いることができる。
【００１６】
更に、バッグ(1) の表裏両面の複合シート上部に形成された、上端と平行な２本の超音波シール線(12)、(12 ′) 、(13)、(13 ′) の間の片面中央１ケ所に、開口部が設けられている態様も本考案に含まれている。その開口部より１本の紐を挿入し２本のシール線の間で且つ、表裏両面の複合シートの内部を通して一巡させて開口部に戻り、紐の先端及び末端の両端が開口部より外部に露出された構造となる。その両端を左右に引くと、袋の上部が巾着状に絞られる。頸部がある形状の物品、例えば植木鉢を収納した場合、花がフリル状のバッグの縁から露出した状態になり、花及び頸部が損傷を受けないように保持される。また、運搬中に植木鉢から水が漏れても、複合シートにプラスチック層が含まれているため、バッグの外部へ漏れるおそれはない。  
【００１７】
その他、不織布のフリル(8) 、(9) の素材、組成、風合、色彩、形状等の少なくとも一つが、本体表面の不織布と異なる包装用不織布バッグも本考案に含まれている。この態様ではフリルのシートが本体表面の不織布とは異なるため、フリルとなる新しいシートを本体表面の不織布に融着させる必要がある。このためには、バッグ(1)の表裏両面の複合シート(5) 、(6) の上部に、それぞれ上端と平行な２本の超音波シール線(12)、(13)及び裏面のシール線(12)′、(13 ′) を形成させると時同時に、新しいフリルを表側或いは裏側に重ねて融着することができる。フリルに本体表面の不織布と異なる不織布を併せて使用することは、デザインの面のみならず、物品の性状に従って、例えば、植木鉢の場合花の種類によりその花の鑑賞や保護に適した不織布を使用するためにも必要である。
【００１８】
本考案にはその他、本体表面の複合シート(4) の外層がフィルムであり、内層が不織布である態様、本体表面の複合シート(4) の外層及び内層のシートを重ね合せて融着・積層した態様、または更に不織布のフリル(10)、(11)がなく、カラー(19)、(19′) のみが設けられている態様の包装用不織布バッグも本考案に含まれている。
【考案の効果】
【００１９】
本考案の包装用不織布バッグはその好ましい態様として、内層がポリエチレン、外層がポリプロピレンの芯鞘繊維からなる不織布シートと、ポリプロピレンフィルムを重ね合せた複合シートが挙げられる。この素材の性質とバッグの底部に形成された特殊な折り込み構造によって運搬中の重い物品、例えば、植木鉢等が安定した状態に保持できる機能を有する。このため重い物品を収納した場合にも形くずれせず、持ち運び中の物品の損傷が防止できる。更にバッグの素材にプラスチックフィルムが含まれているため、水分を含む物品を収納した場合水漏れが発生しても、バッグの外部へ漏れるおそれがない。更にフリルによる装飾効果及び頸部を有する物品、例えば、植木鉢等の持ち運びに好適である。
【考案を実施するための最良の形態】
【００２０】
以下、実施例を挙げて本考案の態様を更に具体的に説明する。
【実施例１】
【００２１】
図１に本考案の包装用不織布バッグ(1) の正面図を、図２に展開図を示す。尚、図２は図１のバッグを展開して、バッグの外側から見た形状を示す。図２の表面側底面(7)と裏面側底面(7′) を中央折込線(20)で、側面から見た形状がＷ字状となるように折り曲げて、表裏両面の間に折り込むと図１示した形状となる。尚、バッグの外面層は芯がポリエチレン、鞘がポリプロピレンからなる芯鞘繊維の不織布であり、内面層はポリプロピレンフィルムからなっている。
【００２２】
次ぎに図１バッグ(1) の表面(5) の底辺の左右の隅の部分と、裏側へ折り返されて重ね合わされている表面側底辺(7) の対応する部分の４層を、重ね合せてヒートシールして表面の広幅の斜線(10)、(11) が形成される。同様に裏面にも広幅の斜線(10 ′) 、 (11′) が形成される。この斜線の融着部分では不織布及びポリプロピレンフィルムが、更に重ね合わされて２層の不織布及び２層のポリプロピレンフィルムからなる４層が含まれた構造となっている。この部分のシートの構造は図１及び図２を対照すると一層明らかとなる。
【００２３】
図１に示した包装用バッグの正面図で表面の複合シート(5) の上部には、それぞれ上端と平行な２本の超音波シール線(12)、(13)が形成される。裏面の複合シート(6) にも同様にして２本の超音波シール線(12′) 、(13 ′) が形成される。２本のシール線の間の左右両端には表裏４層のシートを貫通した開口部(14)、(15)が設けられている。この左右の開口部からそれぞれ紐(16)、(17)をその表面複合シート(5)の超音波シール線(12)、(13)の間の複合シートの内部を通し、更にその紐を裏面複合シートの超音波シール線(12 ′) 、(13 ′) の間の複合シートの内部を通して引き出し、左右両端からそれぞれ２本づつの紐の端(16)、(16′) 、(17)、(17 ′) が引き出された構造となる。
【００２４】
更にバッグ本体の上部の表裏には先端が花弁状となったフレア(8) 、(9) が取り付けられている。フレア部分は表面層の不織布をそのまま延長してもよい。しかし、本件考案の包装用不織布バッグは不織布の組成、質感、色彩、模様等に変化をもたせるため、バッグ本体表面層とは異なった質感、風合を有するシートを使用することがより好ましい。例えば、本体は無地、フレア部分は色違いでポルカドッド模様等で更に質感・風合も異なるシートを使用することがより好ましい。
【００２５】
この抽出用バッグ(1) は表裏対称な構造を有するため、前述のように裏面シート(6) も表面シート(5) と対称な形状となっている。図３に本考案の不織布バッグに物品を収納したときのバッグの斜視図を示す。バッグ本体の外形がや丸味を帯びた略直方体の形状となる。直方体の側面下部には太い斜めのシール線で囲まれた３角形の模様があるが、この部分には斜めにヒートシールされた４層のシートと、その内側には更に２層の表面側底面シート(7)が折り込まれて裏打された、３重（６層）の構造となっている。その反対側の部分の構造も同じである。この左右の部分の間には略矩形の底部が形成された構造となっている。
【００２６】
このため重い物品を収納しても、底面が常に平面状に保持され殆ど垂れ下がることがない。従って、重い物品でも常に安定した状態で持ち運ぶことができる。更に、バッグの表面が不織布のため、プチスチックフィルムのようなテカテカした光沢がなく落ちついた外観を呈する。このため重い物品を収納しても不織布バッグの略直方体の形態が崩れずに保持されることと相まって、優美な高級品の外観を付与することができる。
【００２７】
バッグの上部から物品を収納したとき、バッグの表裏両面の間に設けられた底面及び側面下部の構造によって、底面が常に平面状に保持されるため、物品を安定した状態に保持することが可能である。バッグ(1) の左右に引き出された２本づつの紐の端(16)、(16 ′) 、(17)、(17 ′) をそれぞれ外側へ引くことにより、袋の上端が巾着状に絞られ、上部のフリル状の部分がバッグの縁から露出した状態に保持される。且つバッグ(1)の表裏両面の内側はプラスチックフィルム層が含まれているため、物品から水が漏れてもバッグの外部には漏れ出すおそれがない構造となっている。
【実施例２】
【００２８】
図４に本考案の包装用不織布バッグのその他の一態様の展開図を示す。尚、図はバッグを展開して、バッグの内側から見た形状を示す。本態様は図１に示した態様において、バッグの表裏両面の複合シートの上部に、それぞれ周辺がフリルとなっている不織布シート(8)、(9) が延長して設けられている点では同じである。しかし、本態様ではこの不織布の複合シート(5) 、(6) の上端、フリル(8) 、(9) の内側に、更にそれぞれカラー(18)、(19)、(18′) 、(19 ′) が取り付けられている点が異なっている。
【００２９】
カラーはある程度剛性を有す材質であることが好ましい。これは頸部がある物品、例えば、植木鉢を収納した場合運搬中に花及びその茎部を保護するためである。尚、バッグ上部にフリルがなくカラーのみを取り付けた態様でも使用できる。
【実施例３】
【００３０】
包装用不織布バッグの表裏両面それぞれの複合シートの上部には、その周辺がフリルとなっている不織布シート(8) 、(9) が取り付けられている。本実施例ではフリルとしてバッグの表裏両面の不織布シート(2)とは異なる、質感、風合、色彩が異なる不織布を使用して、バッグ(1) の上部内側或いは外側へ重ね、バッグ上部の超音波シール線(12)、(12 ′) によって、バッグ(1)に融着させている。
【００３１】
ここで、不織布シート(2) と異なる性状を有する不織布としては、その繊維の素材、不織布の組織、厚さ、密度、風合、色彩、形状が異なるものを指し、これよって多様な使用方法が可能となる。
【産業上の利用可能性】
【００３２】
本考案の包装用不織布バッグは素材の性質と、バッグの底部の特殊な折り込み構造によって重い物品を収納しても、バッグの底面が常に平面状に保持され、重量物にも耐える構造となっている。このため形くずれがなく運搬中も常に物品を安定した状態に保持できる機能を有する。また、運搬中でも物品が損傷を受けるおそれがない。更にバッグの素材にプラスチックフィルムが含まれているため、バッグ内部の内部に水漏れがあっても外部への水漏れは防止することができる。これらの機能から特に高級品或いは高価な植物の包装或いは持ち運び用に適している。
【図面の簡単な説明】
【００３３】
【図１】本考案の不織布バッグの正面図を示す。
【図２】本考案の不織布バッグの展開図を示す。
【図３】本考案の不織布バッグに物品を収納したときのバッグの斜視図を示す。
【図４】本考案のその他の一態様の不織布バッグの展開図を示す。
【符号の説明】
【００３４】
1   包装用不織布バッグ
2   プラスチック繊維からなる不織布シート
3   プラスチックフィルム
4   重ね合せ/または積層した複合シート
5   バッグ表面の複合シート
6   バッグ裏面の複合シート
7 、7′  底面
8   表面のフリル
9   裏面のフリル
10 、10′  表面左側の表面、裏面のヒートシールした斜線
11 、11′  表面右側の表面、裏面のヒートシーしたル斜線
12 、12′  上側の超音波シール線
13 、13′  下側の超音波シール線
14  左側の表裏４層のシートを貫通した開口部
15  右側の表裏４層のシートを貫通した開口部
16 、16′  左側から上下の超音波シール線の間の内部を通した紐
17 、17′  右側から上下の超音波シール線の間の内部を通した紐
18 、19      表面のカラー
18 ′、19′  裏面のカラー
20   底面の中央折り返し線
【図１】
0003142245.tif 000003
【図２】
0003142245.tif 000004
【図３】
0003142245.tif 000005
【図４】
0003142245.tif 000006